(57)【要約】  【課題】スクランブリングコード等の使用可能な数が限定されている無線通信用のパラメータの数を限定することなく、自局に設定する無線通信用のパラメータを自動的に決定することができる基地局及び通信方法を提供する。  【解決手段】基地局が、無線信号に基づいて、第１パラメータを取得する第１情報取得部と、有線回線で接続されている第２周辺基地局から、第２パラメータを取得する第２情報取得部と、第１乃至第２パラメータの少なくとも一つに基づいて、暫定パラメータを決定する暫定パラメータ決定部と、暫定パラメータを用いて生成した所定の無線信号を送信する無線信号送信部と、所定の無線信号を受信した移動局と無線通信を実行している第１又は第２周辺基地局から、第３周辺基地局で設定されている第３パラメータを取得する第３情報取得部と、第１乃至第３パラメータに基づいて、恒久パラメータを決定する恒久パラメータ決定部とを具備する。  【選択図】図２
2008124576.tif 000002
【特許請求の範囲】
【請求項１】
移動局との間で無線通信を実行すると共に、自局の周辺に設置されている一つ又は複数の周辺基地局との間で有線通信又は無線通信を実行する基地局であって、
自局の周辺に設置されている第１周辺基地局から受信した移動局向けの無線信号に基づいて、前記第１周辺基地局に設定されている無線通信用の第１パラメータを取得する第１情報取得部と、
有線回線で接続されている第２周辺基地局に対して、前記第２周辺基地局に設定されている無線通信用の第２パラメータの通知を要求する要求情報を送信する有線信号送信部と、
前記要求情報を受信した前記第２周辺基地局から、当該第２周辺基地局で設定されている前記第２パラメータを取得する第２情報取得部と、
前記第１乃至第２パラメータの少なくとも一つに基づいて、無線通信用の暫定パラメータを決定する暫定パラメータ決定部と、
前記暫定パラメータを用いて生成した所定の無線信号を移動局向けに送信する無線信号送信部と、
前記所定の無線信号を受信した移動局と無線通信を実行している第１周辺基地局又は第２周辺基地局から、当該移動局に無線信号を送信している第３周辺基地局で設定されている無線通信用の第３パラメータを取得する第３情報取得部と、
取得された前記第１乃至第３パラメータに基づいて、前記暫定パラメータに替えて自局で用いる無線通信用の恒久パラメータを決定する恒久パラメータ決定部と
を具備することを特徴とする基地局。
【請求項２】
取得された前記第１周辺基地局に設定されている前記第１パラメータと、前記第２周辺基地局に設定されている前記第２パラメータとに、自局と前記第１乃至第２周辺基地局との無線範囲の重複度合いに応じて順位を対応付ける順位設定部を更に具備し、
前記暫定パラメータ決定部は、前記順位設定部によって対応付けられた前記順位に基づいて、所定の順位よりも高い前記第１乃至第２パラメータとは異なるパラメータを、前記暫定パラメータとして決定する
ことを特徴とする請求項１に記載の基地局。
【請求項３】
前記順位設定部は、前記第１乃至第２パラメータのそれぞれが異なる場合、前記第２パラメータよりも前記第１パラメータの前記順位を高く対応付けることを特徴とする請求項２に記載の基地局。
【請求項４】
前記第１情報取得部は、複数の前記第１周辺基地局のそれぞれから、前記第１周辺基地局で設定されている第１パラメータと、受信した前記無線信号の受信レベルとを取得し、
前記順位設定部は、前記周辺局情報取得部によって取得された複数の前記第１パラメータのそれぞれに対して、受信した前記無線信号の前記受信レベルに応じて前記順位を対応付ける
ことを特徴とする請求項３に記載の基地局。
【請求項５】
前記有線信号送信部は、有線回線に接続されている一つ又は複数の中継器を介して、複数の第２周辺基地局に対して前記要求情報を含む有線信号を送信し、
前記第２情報取得部は、複数の前記第２周辺基地局のそれぞれから、前記第２周辺基地局で設定されている第２パラメータと、自局から前記第２周辺基地局までの前記中継器の中継回数とを取得し、
前記順位設定部は、前記近隣局情報取得部によって取得された複数の前記第２パラメータのそれぞれに対して、前記中継器の中継回数に応じて前記順位を対応付ける
ことを特徴とする請求項３に記載の基地局。
【請求項６】
移動局との間で無線通信を実行すると共に、自局の周辺に設置されている一つ又は複数の周辺基地局との間で有線通信又は無線通信を実行する基地局における通信方法であって、
自局の周辺に設置されている第１周辺基地局から受信した移動局向けの無線信号に基づいて、前記第１周辺基地局に設定されている無線通信用の第１パラメータを取得する第１情報取得ステップと、
有線回線で接続されている第２周辺基地局に対して、前記第２周辺基地局に設定されている無線通信用の第２パラメータの通知を要求する要求情報を送信する有線信号送信ステップと、
前記要求情報を受信した前記第２周辺基地局から、当該第２周辺基地局で設定されている前記第２パラメータを取得する第２情報取得ステップと、
前記第１乃至第２パラメータの少なくとも一つに基づいて、無線通信用の暫定パラメータを決定する暫定パラメータ決定ステップと、
前記暫定パラメータを用いて生成した所定の無線信号を移動局向けに送信する無線信号送信ステップと、
前記所定の無線信号を受信した移動局と無線通信を実行している第１周辺基地局又は第２周辺基地局から、当該移動局に無線信号を送信している第３周辺基地局で設定されている無線通信用の第３パラメータを取得する第３情報取得ステップと、
取得された前記第１乃至第３パラメータに基づいて、前記暫定パラメータに替えて自局で用いる無線通信用の恒久パラメータを決定する恒久パラメータ決定ステップと
を具備することを特徴とする通信方法。
【発明の詳細な説明】
【技術分野】
【０００１】
本発明は、移動局との間で無線通信を実行すると共に、自局の周辺に設置されている一つ又は複数の周辺基地局との間で有線通信又は無線通信を実行する基地局及び通信方法に関する。
【背景技術】
【０００２】
従来、移動通信システムでは、複数の移動局が、無線回線を共有して同時に通信を行う多元接続方式として、符号分割多元接続方式（以下、ＣＤＭＡ方式：Ｃｏｄｅ Ｄｉｖｉｓｉｏｎ Ｍｕｌｔｉｐｌｅ Ａｃｃｅｓｓ）、広帯域・符号分割多元接続方式（以下、Ｗ−ＣＤＭＡ方式：Ｗｉｄｅｂａｎｄ ＣＤＭＡ）、時分割多元接続方式（以下、ＴＤＭＡ方式：Ｔｉｍｅ Ｄｉｖｉｓｉｏｎ Ｍｕｌｔｉｐｌｅ Ａｃｃｅｓｓ）、周波数分割多元接続方式（以下、ＦＤＭＡ方式：Ｆｒｅｑｕｅｎｃｙ Ｄｉｖｉｓｉｏｎ Ｍｕｌｔｉｐｌｅ Ａｃｃｅｓｓ）等が知られている。
【０００３】
上述する多元接続方式の中で、例えば、ＣＤＭＡ方式によって、同一周波数帯域を複数の無線通信波で共有する移動通信システムでは、個々の無線通信波が、ランダムな符号系列である拡散コード（無線通信用のパラメータ）によって区別される。拡散コードは検出特性（自己相関特性） および異なる拡散コード間の識別特性（相互相関特性）が良いほどシステム効率が向上する。このため、系列長で決まる全てのランダムな符号組合せを用いることは無く、所要特性を得る符号系列を選択して用いる。したがって、高いシステム効率が求められる場合には拡散コードは限定され、割当可能な拡散コード数はシステムが想定する全同時通信波数を下回る。
【０００４】
特に、Ｗ−ＣＤＭＡ方式を用いた移動通信システムでは、下り回線で用いる拡散コードにおいて、高い検出特性や識別特性に加えて、低送信電力でも高品質な通信を実現するために異なる拡散コード間の相互干渉を低減できる符号直交性が求められる。このため、割当可能な拡散コード数は上り回線よりも少なくなる。
【０００５】
また、Ｗ−ＣＤＭＡを用いた移動通信システムでは、ユーザのデータを実際に広帯域拡散する拡散コードをチャネライゼーションコード、セル毎に重畳するセル間混信防止用のコードをスクランブリングコードと呼んでいる。
【０００６】
ここで、上述した移動通信システムで用いられるスクランブリングコードの数は、無限ではなく、５１２種類が規定されているのみであり、有効利用のため全セルで繰り返し使用されるが、混信を防ぐため、同一種のスクランブリングコードは、近距離に存在し無線範囲が重複する複数の基地局間で使用されないように設定する必要がある。
【０００７】
よって、従来は、基地局の位置や装置・アンテナ構成に基づく計算機シミュレーションにより、基地局ごとに電波の到達エリアを推定し、無線範囲がオーバラップする複数の基地局同士に同一種のスクランブリングコードが設定されないように、計算機の支援を受けながら無線ネットワーク設計者が手動で設定していた。このため、トラヒックの増加に対応して新たな基地局を設置する場合には、設計者が設定を再実施する必要があった。さらに、かかるスクランブリングコードは、計算機シミュレーションの推定に基づいて設定されていたため、例えば、実際の現場と電波の到達する無線範囲に誤差が生じ、同一種のスクランブリングコードを用いる基地局間で混信が発生する場合があった。よって、このような場合には、設定をやり直す必要があり、これらの作業には多大な時間、設計者の労力、現場確認者の手間が費やされる。
【０００８】
この問題を解決するため、複数の基地局を制御する基地局制御局が、下り方向の無線信号を受信する移動局からの報告に基づいて、新設の基地局のスクランブリングコード（下り方向）を決定する技術が提案されている（例えば、特許文献１参照）。
【０００９】
特許文献１に示される方法では、例えば、新設基地局が、予め確保されている暫定的な暫定スクランブリングコードを用いて、自基地局を識別する基地局ＩＤを拡張した下り方向の無線信号を送信する。また、新設基地局と周辺基地局との無線範囲の重複するエリアに存在し、かつ周辺基地局と接続中の移動局が、当該基地局ＩＤを受信すると共に、接続中の周辺基地局を介して、新設基地局と周辺基地局とを制御する基地局制御局に、受信した基地局ＩＤを報告する。そして、基地局制御局は、移動局から報告された周辺基地局の基地局ＩＤに基づいて、周辺基地局を検出すると共に、当該周辺基地局で設定されているスクランブリングコード（下り方向）とは異なるように、新設基地局で恒久的に用いる恒久スクランブリングコード（下り方向）を決定する。
【００１０】
このような方法によれば、新設基地局と周辺基地局とが重複する無線範囲内に実際に存在する移動局からの報告に基づいて、周辺基地局で設定されているスクランブリングコード（下り方向）と混信が生じないように、新設基地局で使用するスクランブリングコード（下り方向）をより適切に決定することができる。
【特許文献１】特開２００６−１４０８２９号公報
【発明の開示】
【発明が解決しようとする課題】
【００１１】
しかしながら、特許文献１に示される方法では、予め新設基地局用に専用の暫定スクランブリングコードを確保し、周辺基地局で暫定スクランブリングコードが設定されないようにする必要がある。また、例えば、同一の期間内に、無線範囲の重複する複数の新設基地局が、それぞれ暫定スクランブリングコードを設定して、周辺基地局で設定されているスクランブリングコード及び基地局ＩＤを取得する場合には、複数種類の暫定スクランブリングコードを確保しておく必要がある。よって、使用可能な数が限定されているスクランブリングコードの数を、さらに限定してしまうという問題があった。
【００１２】
そこで、本発明は以上の点に鑑みてなされたものであり、スクランブリングコード等の使用可能な数が限定されている無線通信用のパラメータの数を限定することなく、自局に設定する無線通信用のパラメータを自動的に決定することができる基地局及び通信方法を提供することを目的とする。
【課題を解決するための手段】
【００１３】
上記目的を達成するため、本発明の第１の特徴は、移動局との間で無線通信を実行すると共に、自局の周辺に設置されている一つ又は複数の周辺基地局との間で有線通信又は無線通信を実行する基地局であって、自局の周辺に設置されている第１周辺基地局から受信した移動局向けの無線信号に基づいて、前記第１周辺基地局に設定されている無線通信用の第１パラメータを取得する第１情報取得部と、有線回線で接続されている第２周辺基地局に対して、前記第２周辺基地局に設定されている無線通信用の第２パラメータの通知を要求する要求情報を送信する有線信号送信部と、前記要求情報を受信した前記第２周辺基地局から、当該第２周辺基地局で設定されている前記第２パラメータを取得する第２情報取得部と、  前記第１乃至第２パラメータの少なくとも一つに基づいて、無線通信用の暫定パラメータを決定する暫定パラメータ決定部と、前記暫定パラメータを用いて生成した所定の無線信号を移動局向けに送信する無線信号送信部と、前記所定の無線信号を受信した移動局と無線通信を実行している第１周辺基地局又は第２周辺基地局から、当該移動局に無線信号を送信している第３周辺基地局で設定されている無線通信用の第３パラメータを取得する第３情報取得部と、取得された前記第１乃至第３パラメータに基づいて、前記暫定パラメータに替えて自局で用いる無線通信用の恒久パラメータを決定する恒久パラメータ決定部とを具備することを要旨とするものである。
【００１４】
かかる特徴によれば、基地局は、第１情報取得部によって取得された第１パラメータと、第２情報取得部によって取得された第２パラメータとに基づいて、無線通信用の暫定パラメータを決定する。また、基地局は、決定した暫定パラメータを用いて生成した所定の無線信号を移動局へ送信し、当該移動局に無線信号を送信する第３周辺基地局に設定されている第３パラメータを第３情報取得部によって取得する。そして、基地局は、取得した第１パラメータと、第２パラメータと、第３パラメータとに基づいて、自局に設定する恒久パラメータを決定する。
【００１５】
このように、かかる基地局によれば、スクランブリングコード等の無線通信用のパラメータを自局に設定する際、従来技術のように、予め暫定パラメータを確保しなくとも、暫定パラメータを決定することができる。よって、かかる基地局によれば、従来技術のように、スクランブリングコード等の使用可能な数が限定されている無線通信用のパラメータの数を限定することなく、自局に設定する無線通信用のパラメータを自動的に決定することができる。
【００１６】
また、本発明の第２の特徴は、第１の特徴に係り、取得された前記第１周辺基地局に設定されている前記第１パラメータと、前記第２周辺基地局に設定されている前記第２パラメータとに、自局と前記第１乃至第２周辺基地局との無線範囲の重複度合いに応じて順位を対応付ける順位設定部を更に具備し、前記暫定パラメータ決定部は、前記順位設定部によって対応付けられた前記順位に基づいて、所定の順位よりも高い前記第１乃至第２パラメータとは異なるパラメータを、前記暫定パラメータとして決定することを要旨とするものである。
【００１７】
かかる特徴によれば、基地局は、第１乃至第２パラメータに第１乃至第２周辺基地局との無線範囲の重複度合いに応じて順位を対応付けると共に、当該順位に基づいて自局に設定する暫定パラメータを設定するので、無線範囲の重複度合いが高い第１乃至第２周辺基地局で設定されている第１乃至第２パラメータと重複することを低減し、より適切な暫定パラメータを決定することができる。
【００１８】
また、基地局は、所定の順位よりも高い第１乃至第２パラメータとは異なるパラメータを、暫定パラメータとして決定するので、例えば、使用できるパラメータ数が限られ恒久パラメータが取得した第１乃至第２パラメータと重複する必要性が生じる場合であっても、対応付けられた順位の高い第１乃至第２パラメータ、つまり無線範囲の重複度合いの大きい周辺基地局で設定されている第１乃至第２パラメータとは異なるパラメータを、自局に設定する暫定パラメータとして決定することができる。
【００１９】
また、本発明の第３の特徴は、第２の特徴に係り、前記順位設定部は、前記第１乃至第２パラメータのそれぞれが異なる場合、前記第２パラメータよりも前記第１パラメータの前記順位を高く対応付けることを要旨とするものである。かかる特徴によれば、基地局は、第１乃至第２パラメータのそれぞれに順位を設定する際、第１パラメータの順位を優先して高く、次に第２パラメータの順位を対応付ける。つまり、第１乃至第２パラメータのそれぞれが設定されている第１乃至第２周辺基地局と自局との間において、直接無線信号が受信され、無線範囲の重複度合いが大きいことが推定される第１パラメータほど高く順位を対応付けるので、自局に設定する暫定パラメータを、自局との無線範囲の重複度合いが大きい周辺基地局で設定されているパラメータと重複することを抑制することができる。
【００２０】
また、本発明の第４の特徴は、第３の特徴に係り、前記第１情報取得部は、複数の前記第１周辺基地局のそれぞれから、前記第１周辺基地局で設定されている第１パラメータと、受信した前記無線信号の受信レベルとを取得し、前記順位設定部は、前記周辺局情報取得部によって取得された複数の前記第１パラメータのそれぞれに対して、受信した前記無線信号の前記受信レベルに応じて前記順位を対応付けることを要旨とするものである。
【００２１】
かかる特徴によれば、基地局は、複数の第１パラメータが取得される場合であっても、自局における受信レベルの大きさに応じて、複数の第１パラメータのそれぞれに、より正確な順位を対応付けることができる。
【００２２】
また、本発明の第５の特徴は、第３の特徴に係り、前記有線信号送信部は、有線回線に接続されている一つ又は複数の中継器を介して、複数の第２周辺基地局に対して前記要求情報を含む有線信号を送信し、前記第２情報取得部は、複数の前記第２周辺基地局のそれぞれから、前記第２周辺基地局で設定されている第２パラメータと、自局から前記第２周辺基地局までの前記中継器の中継回数とを取得し、前記順位設定部は、前記近隣局情報取得部によって取得された複数の前記第２パラメータのそれぞれに対して、前記中継器の中継回数に応じて前記順位を対応付けることを要旨とするものである。
【００２３】
かかる特徴によれば、基地局は、複数の第２パラメータが取得される場合であっても、自局と第２周辺基地局との有線回線の経路上における中継器の中継回数に応じて、自局と第３周辺基地局との無線範囲の重複度合いを推定し、複数の第３パラメータのそれぞれに、より正確な順位を対応付けることができる。
【００２４】
た、本発明の第６の特徴は、移動局との間で無線通信を実行すると共に、自局の周辺に設置されている一つ又は複数の周辺基地局との間で有線通信又は無線通信を実行する基地局における通信方法であって、自局の周辺に設置されている第１周辺基地局から受信した移動局向けの無線信号に基づいて、前記第１周辺基地局に設定されている無線通信用の第１パラメータを取得する第１情報取得ステップと、有線回線で接続されている第２周辺基地局に対して、前記第２周辺基地局に設定されている無線通信用の第２パラメータの通知を要求する要求情報を送信する有線信号送信ステップと、前記要求情報を受信した前記第２周辺基地局から、当該第２周辺基地局で設定されている前記第２パラメータを取得する第２情報取得ステップと、前記第１乃至第２パラメータの少なくとも一つに基づいて、無線通信用の暫定パラメータを決定する暫定パラメータ決定ステップと、前記暫定パラメータを用いて生成した所定の無線信号を移動局向けに送信する無線信号送信ステップと、前記所定の無線信号を受信した移動局と無線通信を実行している第１周辺基地局又は第２周辺基地局から、当該移動局に無線信号を送信している第３周辺基地局で設定されている無線通信用の第３パラメータを取得する第３情報取得ステップと、取得された前記第１乃至第３パラメータに基づいて、前記暫定パラメータに替えて自局で用いる無線通信用の恒久パラメータを決定する恒久パラメータ決定ステップとを具備することを要旨とするものである。
【発明の効果】
【００２５】
本発明によれば、スクランブリングコード等の使用可能な数が限定されている無線通信用のパラメータの数を限定することなく、自局に設定する無線通信用のパラメータを自動的に決定することができる基地局及び通信方法を提供することができる。
【発明を実施するための最良の形態】
【００２６】
図を参照して、本発明の実施形態を説明する。なお、以下の説明において参照する各図では、同一の機能を有する部分には同一符号を付す。
【００２７】
（移動通信システムの概略構成）
まず、本発明の実施形態に係る移動通信システム１の概略構成について説明する。移動通信システム１は、図１に示すように、サーバ３００_１と、ルータ２００_１乃至２００_３と、基地局１００_１乃至１００_６とを具備し、移動局６００_１乃至６００_２との間で、音声データ等のデータ通信を行う。
【００２８】
なお、本実施形態において、サーバ３００_１と、ルータ２００_１乃至２００_３と、基地局１００_１乃至１００_６と、移動局６００_１乃至６００_２との数は、一例であり、かかる数に限定されるものではない。また、接続関係も、図１に示す接続関係に限定されず、例えば、サーバ３００_１が、基地局１００_１乃至１００_６と直接接続するように構成されていても良い。
【００２９】
また、本実施形態に係る移動通信システム１では、移動局６００_１乃至６００_２との間で行われている通信方式として、ＣＤＭＡ（Ｃｏｄｅ Ｄｉｖｉｓｉｏｎ Ｍｕｌｔｉｐｌｅ Ａｃｃｅｓｓ）方式が用いられている。また、本実施形態に係る移動通信システム１では、ＣＤＭＡ方式において、ＦＤＤ（Ｆｒｅｑｕｅｎｃｙ Ｄｉｖｉｓｉｏｎ Ｄｕｐｌｅｘ）方式、又はＴＤＤ（Ｔｉｍｅ Ｄｉｖｉｓｉｏｎ Ｄｕｐｌｅｘ）方式を想定している。なお、かかる移動通信システム１は、上述したＣＤＭＡ方式以外に、ＴＤＭＡ（Ｔｉｍｅ Ｄｉｖｉｓｉｏｎ Ｍｕｌｔｉｐｌｅ Ａｃｃｅｓｓ）方式、ＦＤＭＡ（Ｆｒｅｑｕｅｎｃｙ Ｄｉｖｉｓｉｏｎ Ｍｕｌｔｉｐｌｅ Ａｃｃｅｓｓ）方式等を用いてもよい。
【００３０】
サーバ３００_１は、ルータ２００_１乃至２００_３と接続する。また、サーバ３００_１は、ルータ２００_１乃至２００_３と基地局１００_１乃至１００_６との間における有線通信と、基地局１００_１乃至１００_６と移動局６００_１乃至６００_２との間における無線通信とを制御する。
【００３１】
ルータ２００_１乃至２００_３は、サーバ３００_１及び基地局１００_１乃至１００_６と接続する。また、ルータ２００_１は、基地局１００_１乃至１００_２と基地局１００_４とを収容し、ルータ２００_２は、基地局１００_３を収容し、ルータ２００_３は、基地局１００_５乃至１００_６を収容する。また、ルータ２００_１乃至２００_３は、相互に通信する。
【００３２】
基地局１００_１乃至１００_６は、移動局６００_１乃至６００_２との間で無線通信を実行すると共に、自局の周辺に設置されている一つ又は複数の周辺基地局との間で、有線通信又は無線通信を実行する。
【００３３】
また、基地局１００_１乃至１００_６は、無線通信用のパラメータとして、基地局毎に異なる下り方向のスクランブリングコード、即ち、下り回線において使用する拡散コードを用いて、移動局６００_１乃至６００_２へ無線信号を送信する。なお、本実施形態では、かかる無線通信用のパラメータが、スクランブリングコードである場合を例に説明するが、かかる無線通信用のパラメータは、ＴＤＭＡ方式の移動通信システムにおける下りタイムスロットであってもよいし、ＦＤＭＡ方式の移動通信システムにおける下り周波数帯域であってもよい。
【００３４】
また、基地局１００_１乃至１００_３には、各基地局を識別するための識別情報として、基地局ＩＤが設定されている。また、本実施形態では、基地局１００_１は、移動局６００_１と無線通信を実行しており、基地局１００_５は、移動局６００_２と無線通信を実行していることとする。
【００３５】
移動局６００_１乃至６００_２は、基地局１００_１乃至１００_６との間で、無線通信を実行することができる。また、本実施形態において、移動局６００_１乃至６００_２は、それぞれ同様に構成されている。なお、本実施形態では、上述した移動局６００_１乃至６００_２は、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。
【００３６】
また、移動局６００_１乃至６００_２は、例えば、一の基地局１００_１との間で無線通信を実行中（接続中）に、他の基地局１００_４からのパイロット信号を受信した場合、無線通信を実行している基地局１００_１に対して、受信情報を含む無線信号を送信する。
【００３７】
ここで、受信情報とは、移動局６００_１が、無線通信を実行している基地局１００_１に、他の基地局１００_４からのパイロット信号を受信したことを通知するための情報であり、当該受信情報には、他の基地局１００_４から送信されたパイロット信号に含まれる基地局１００_４の基地局ＩＤと、基地局１００_４で設定されているスクランブリングコードとが含まれている。なお、受信情報に複数の基地局ＩＤとスクランブリングコードとが含まれている場合、受信情報を受信した基地局１００_１乃至１００_６は、受信情報に含まれる基地局ＩＤに対応する周辺基地局に対して、当該受信情報に含まれる複数の基地局ＩＤとスクランブリングコードとを転送する。
【００３８】
（基地局の構成）
次に、図２を参照し、本実施形態にかかる基地局１００_１乃至１００_６の構成を詳細に説明する。ここで、本実施形態では、一の基地局（例えば、基地局１００_４）を、単に自局とし、自局の周辺に設置されている他の基地局（例えば、基地局１００_１乃至１００_３）を、単に周辺基地局として適宜説明する。また、基地局１００_１乃至１００_６の構成は同様であるため、以下、基地局１００_１乃至１００_６を単に基地局１００_ｉ（ｉは自然数）として、その構成について説明する。
【００３９】
基地局１００_ｉは、図２に示すように、有線信号通信部１０１と、無線信号通信部１０２と、周辺局情報取得部１０３と、近隣局情報取得部１０４と、隣接局情報取得部１０５と、記憶部１０７と、順位設定部１０８と、暫定パラメータ決定部１０９と、パイロット信号生成部１１０と、パラメータ通知部１１２と、恒久パラメータ決定部１１１と、通信制御部１１３とを具備する。
【００４０】
有線信号通信部１０１は、有線回線を使用して、ルータ２００_１乃至２００_３を介して、周辺基地局及びサーバ３００_１との間で、有線信号を送受信する。
【００４１】
また、有線信号通信部１０１は、後述する近隣局情報取得部１０４の指示に従って、有線回線で接続されている周辺基地局（第２周辺基地局）に対して、当該周辺基地局に設定されている無線通信用のスクランブリングコード（第２パラメータ）の通知を要求する要求情報を含む有線信号を送信する。また、この時、有線信号通信部１０１は、有線回線に接続されている一つ又は複数のルータ（中継器）を介して、複数の周辺基地局に対して要求情報を含む有線信号を送信する。
【００４２】
図３（ａ）には、要求情報を含む有線信号のフォーマットの一例が示されている。同図に示すように、要求情報を含む有線信号には、かかる要求情報以外に、送信元である自局のアドレスと、中継可能なルータの中継回数を示すＴＴＬ（Ｔｉｍｅ Ｔｏ Ｌｉｖｅ）とが含まれている。かかるＴＴＬ（例えば、整数Ａ）は、一のルータを中継する度に、ルータによって１ずつ減算（例えば、“Ａ−１”にデクリメント）される値であり、所定の中継回数（Ａ）に相当するルータでは、ＴＴＬが“０（Ａ−Ａ）”となることで、有線信号の転送が停止される。
【００４３】
また、有線信号通信部１０１は、上述した要求情報を含む有線信号を受信した周辺基地局から、応答情報を含む有線信号を受信する。図３（ｂ）には、応答情報を含む有線信号のフォーマットの一例が示されている。また、応答情報を含む有線信号には、送信元の周辺基地局のアドレス及び送信先の自局のアドレスと、応答情報として、送信元の周辺基地局で設定されているスクランブリングコードと、当該周辺基地局を識別する基地局ＩＤと、ＴＴＬの残値とが含まれている。ここで、ＴＴＬの残値とは、周辺基地局が、要求情報を含む有線信号を受信した際の当該有線信号に含まれるＴＴＬの値を示す。また、本実施形態において、有線信号通信部１０１は、有線信号送信部を構成する。
【００４４】
無線信号通信部１０２は、移動局６００_１乃至６００_２との間で、無線信号を送受信する。また、無線信号通信部１０２は、周辺基地局から送信された無線信号を受信すると、周辺局情報取得部１０３へ通知する。
【００４５】
また、無線信号通信部１０２は、後述するパイロット信号生成部１１０によって、無線通信用の暫定スクランブリングコード（暫定パラメータ）を用いて生成されたパイロット信号（所定の無線信号）を、移動局６００_１乃至６００_２向けに送信する。また、本実施形態において無線信号通信部１０２は、無線信号送信部を構成する。
【００４６】
周辺局情報取得部１０３は、自局の周辺に設置され、無線信号を受信可能な周辺基地局（第１周辺基地局）から受信した移動局６００_１乃至６００_２向けの無線信号に基づいて、当該周辺基地局に設定されている無線通信用のスクランブリングコード（第１パラメータ）を取得する。この時、周辺局情報取得部１０３は、複数の周辺基地局のそれぞれから、周辺基地局で設定されているスクランブリングコード（第１パラメータ）と、自局で受信した無線信号の受信レベルとを取得する。
【００４７】
具体的に、周辺局情報取得部１０３は、自局に電源が投入されて起動を開始した際、周辺基地局から送信された無線信号を受信すると共に、当該無線信号の受信レベルを測定する。また、周辺局情報取得部１０３は、当該周辺基地局から送信された無線信号を復調して、無線信号に含まれている基地局ＩＤとスクランブリングコードとを抽出する。このようにして、周辺局情報取得部１０３は、基地局ＩＤと、抽出したスクランブリングコードと、測定した受信レベルとを取得し、これらを対応付けて後述する記憶部１０７の周辺局情報テーブルＴ１２（図４（ｂ）参照）へ記憶する。なお、本実施形態では、周辺局情報取得部１０３で取得される基地局ＩＤと、スクランブリングコードと、受信した受信レベルとを、周辺局情報として説明する。また、本実施形態において、周辺局情報取得部１０３は、第１情報取得部を構成する。
【００４８】
近隣局情報取得部１０４は、要求情報を含む有線信号を受信した周辺基地局（第２周辺基地局）から、当該周辺基地局で設定されているスクランブリングコード（第２パラメータ）を取得する。この時、近隣局情報取得部１０４は、一つ又は複数の周辺基地局（第２周辺基地局）のそれぞれから、当該周辺基地局で設定されているスクランブリングコード（第２パラメータ）と、自局から当該周辺基地局までのルータの中継回数とを取得する。
【００４９】
具体的に、近隣局情報取得部１０４は、自局に電源が投入されて起動を開始した際、有線信号通信部１０１を介して、自局と接続しているルータ２００_１乃至２００_３に、要求情報を含む有線信号を送信する。また、近隣局情報取得部１０４は、有線信号通信部１０１によって、周辺基地局から送信された応答情報を含む有線信号が受信されると、当該応答情報に含まれるＴＴＬの残値から中継回数（ホップ数）を算出する。また、近隣局情報取得部１０４は、当該応答情報に含まれる基地局ＩＤと、スクランブリングコードとを抽出する。
【００５０】
このようにして、近隣局情報取得部１０４は、中継回数と、基地局ＩＤと、スクランブリングコードとを取得し、これらを対応付けて、後述する記憶部１０７の近隣局情報テーブルＴ１３（図４（ｃ）参照）へ記憶する。なお、本実施形態では、近隣局情報取得部１０４で取得される基地局ＩＤと、スクランブリングコードと、中継回数とを、近隣局情報として説明する。また、本実施形態において、近隣局情報取得部１０４は、第２情報取得部を構成する。
【００５１】
隣接局情報取得部１０５は、自局から送信されるパイロット信号を受信した移動局（例えば、移動局６００_１）と無線通信を実行している周辺基地局（第１周辺基地局又は第２周辺基地局）から、当該移動局６００_１に無線信号を送信している他の周辺基地局（第３周辺基地局）で設定されている無線通信用のスクランブリングコード（第３パラメータ）を取得する。
【００５２】
具体的に、自局と複数の周辺基地局（例えば、基地局１００_１及び基地局１００_５）との無線範囲に存在する移動局（例えば、移動局６００_１）は、各基地局から送信されたパイロット信号を受信すると、無線通信を実行している周辺基地局（例えば、基地局１００_１）に受信情報を送信する。この受信情報を受信した基地局１００_１は、受信情報に含まれる基地局ＩＤ及びスクランブリングコード（基地局１００_４及と基地局１００_５との基地局ＩＤ及びスクランブリングコード）を含む有線信号を、受信情報に含まれる基地局ＩＤに対応する基地局（基地局１００_４及び基地局１００_５）へ送信する。
【００５３】
そして、例えば、基地局１００_４では、有線信号通信部１０１が、基地局１００_１から送信された有線信号を受信する。また、隣接局情報取得部１０５は、有線信号通信部１０１において周辺基地局の基地局ＩＤ及びスクランブリングコードを含む有線信号が受信されると、当該有線信号から基地局ＩＤとスクランブリングコードとを取得する。
【００５４】
また、隣接局情報取得部１０５は、タイマ機能を備えており、予め設定されている所定の期間が経過するまで、周辺基地局から送信された応答情報を含む有線信号を受信し、当該応答情報から基地局ＩＤとスクランブリングコードとを取得する。また、隣接局情報取得部１０５は、取得した基地局ＩＤとスクランブリングコードとを、後述する記憶部１０７の隣接局情報テーブルＴ１１（図４（ａ）参照）に対応付けて記憶する。なお、本実施形態では、隣接局情報取得部１０５で取得される基地局ＩＤとスクランブリングコードとを、隣接局情報として説明する。また、本実施形態において、隣接局情報取得部１０５は、第３情報取得部を構成する。
【００５５】
記憶部１０７は、隣接局情報テーブルＴ１１と、周辺局情報テーブルＴ１２と、近隣局情報テーブルＴ１３と、周辺セル情報テーブルＴ２１とを具備する。
【００５６】
隣接局情報テーブルＴ１１は、図４（ａ）に示すように、「基地局ＩＤ」と、「スクランブリングコード」とを対応付けて記憶する。また、「基地局ＩＤ」と、「スクランブリングコード」とは、隣接局情報取得部１０５によって記憶される。
【００５７】
周辺局情報テーブルＴ１２は、図４（ｂ）に示すように、「順位」と、「基地局ＩＤ」と、「スクランブリングコード」と、「受信レベル」とを対応付けて記憶する。ここで、本実施形態において、上述した「順位」は、自局と周辺基地局との無線範囲の重複度合いに応じた順番を示すものであり、「順位」“１”の値がもっとも高く（上位である）、かかる値が大きいほど「順位」は低いことを示す。なお、周辺局情報テーブルＴ１２において、「順位」は、後述する順位設定部１０８によって記憶される。また、「基地局ＩＤ」と、「スクランブリングコード」と、「受信レベル」とは、周辺局情報取得部１０３によって記憶される。
【００５８】
近隣局情報テーブルＴ１３は、図４（ｃ）に示すように、「順位」と、「基地局ＩＤ」と、「スクランブリングコード」と、「中継回数」とを対応付けて記憶する。なお、近隣局情報テーブルＴ１３において、「順位」は、後述する順位設定部１０８によって記憶される。また、「基地局ＩＤ」と、「スクランブリングコード」と、「中継回数」とは、近隣局情報取得部１０４によって記憶される。
【００５９】
周辺セル情報テーブルＴ２１は、図５に示すように、周辺基地局の「基地局ＩＤ」と「スクランブリングコード」とを対応付けて記憶する。また、「基地局ＩＤ」と「スクランブリングコード」とは、後述する通信制御部１１３によって記憶される。
【００６０】
順位設定部１０８は、記憶部１０７に記憶されている周辺局情報テーブルＴ１２と、近隣局情報テーブルＴ１３とを参照し、周辺局情報取得部１０３によって取得されたスクランブリングコードと、近隣局情報取得部１０４によって取得されたスクランブリングコードとに、それぞれのスクランブリングコードが設定されている周辺基地局と自局との無線範囲の重複度合いに応じて、「順位」を対応付ける。ここで、上述した周辺基地局との無線範囲の重複度合いは、自局から送信される無線信号の無線範囲と、周辺基地局から送信される無線信号の無線信号の重複する範囲の度合い（大きさ）を示すものである。
【００６１】
具体的に、順位設定部１０８は、周辺局情報取得部１０３によって取得されたスクランブリングコードと、近隣局情報取得部１０４によって取得されたスクランブリングコードとのそれぞれが異なる場合、周辺局情報取得部１０３によって取得されたスクランブリングコードよりも、周辺局情報取得部１０３によって取得されたスクランブリングコードの順位を高く対応付ける。
【００６２】
つまり、順位設定部１０８は、周辺局情報取得部１０３と近隣局情報取得部１０４とによって、それぞれ異なるスクランブリングコードが取得された場合、周辺局情報取得部１０３によって取得されたスクランブリングコードの「順位」を優先して高く（例えば“１”として）対応付けし、近隣局情報取得部１０４によって取得されたスクランブリングコードの「順位」を低く（例えば“２”として）対応付ける。
【００６３】
また、順位設定部１０８は、周辺局情報取得部１０３と近隣局情報取得部１０４とによって、それぞれ同一のスクランブリングコードが取得された場合、周辺局情報取得部１０３で取得されたスクランブリングコードに「順位」を対応付けて、近隣局情報取得部１０４で取得されたスクランブリングコードには「順位」を対応付けしない。つまり、順位設定部１０８は、一のスクランブリングコードには、一の「順位」のみを対応付ける。
【００６４】
また、順位設定部１０８は、周辺局情報取得部１０３によって複数の基地局ＩＤ及びスクランブリングコードが取得された場合、共に取得された受信レベルを、上述した自局と周辺基地局との無線範囲の重複度合いとして、それぞれに「順位」を対応付ける。具体的に、順位設定部１０８は、周辺局情報テーブルＴ１２を参照し、周辺局情報取得部１０３によって取得された複数のスクランブリングコードのそれぞれに対して、受信した無線信号の受信レベルに応じて「順位」を対応付ける。また、この時、順位設定部１０８は、周辺局情報取得部１０３で測定された受信レベルが大きい無線信号に含まれるスクランブリングコードほど「順位」を高く対応付ける。
【００６５】
また、順位設定部１０８は、近隣局情報取得部１０４によって複数の基地局ＩＤ及びスクランブリングコードが取得された場合、共に取得された中継回数を、上述した自局と周辺基地局との無線範囲の重複度合いとして、それぞれに「順位」を対応付ける。具体的に、順位設定部１０８は、近隣局情報取得部１０４によって複数のスクランブリングコードが取得された場合、近隣局情報テーブルＴ１３を参照し、近隣局情報取得部１０４によって取得された複数のスクランブリングコードのそれぞれに対して、共に取得されたルータの中継回数に応じて「順位」を対応付ける。また、この時、順位設定部１０８は、ルータの中継回数の少ない周辺基地局に設定されているスクランブリングコードほど「順位」を高く対応付ける。
【００６６】
また、順位設定部１０８は、それぞれのスクランブリングコードとに対応付けした「順位」を、周辺局情報テーブルＴ１２と、近隣局情報テーブルＴ１３とに記憶すると共に、記憶が完了したことを暫定パラメータ決定部１０９に通知する。
【００６７】
暫定パラメータ決定部１０９は、周辺局情報取得部１０３によって取得されたスクランブリングコードと、近隣局情報取得部１０４によって取得されたスクランブリングコードの少なくとも一つに基づいて、無線通信用の暫定スクランブリングコード（暫定パラメータ）を決定する。
【００６８】
具体的に、暫定パラメータ決定部１０９は、周辺局情報テーブルＴ１２と、近隣局情報テーブルＴ１３とを参照し、順位設定部１０８によって対応付けられた「順位」に基づいて、所定の順位よりも高いスクランブリングコードとは異なるスクランブリングコードを、暫定スクランブリングコードとして決定する。
【００６９】
ここで、所定の順位は、自局との無線範囲の重複度合いが大きく、自局の無線信号と混信を生じることが推測される一つ又は複数の周辺基地局で設定されているスクランブリングコードの順位であり、暫定パラメータ決定部１０９において予め記憶されている。
【００７０】
また、暫定パラメータ決定部１０９は、順位設定部１０８によって対応付けられた最も低い「順位」が所定の順位より高い場合、つまり、所定の順位となる「順位」が無い場合、所定の順位とは無関係に、周辺局情報テーブルＴ１２と近隣局情報テーブルＴ１３とに記憶されている全てのスクランブリングコードとは異なるスクランブリングコードを、暫定スクランブリングコードとして決定する。また、暫定パラメータ決定部１０９は、決定した暫定スクランブリングコードを、パイロット信号生成部１１０に通知する。また、暫定パラメータ決定部１０９は、決定した暫定スクランブリングコードと、所定の順位よりも高い「順位」に対応付けされている基地局ＩＤとを、パラメータ通知部１１２に通知する。また、暫定パラメータ決定部１０９は、所定の順位よりも高い「順位」に対応付けされている基地局ＩＤと、当該基地局ＩＤに対応するスクランブリングコードとを通信制御部１１３に通知する。
【００７１】
パイロット信号生成部１１０は、暫定パラメータ決定部１０９から暫定スクランブリングコードを通知されると、当該暫定スクランブリングコードを用いて自局に予め設定されている基地局ＩＤを含むパイロット信号を生成する。また、パイロット信号生成部１１０は、無線信号通信部１０２を介して、生成したパイロット信号を移動局向けに送信する。
【００７２】
恒久パラメータ決定部１１１は、隣接局情報取得部１０５によって取得されたスクランブリングコードと、周辺局情報取得部１０３によって取得されたスクランブリングコードと、近隣局情報取得部１０４によって取得されたスクランブリングコードとに基づいて、暫定スクランブリングコードに替えて自局で用いる無線通信用の恒久パラメータを決定する。
【００７３】
具体的に、恒久パラメータ決定部１１１は、隣接局情報テーブルＴ１１と、周辺局情報テーブルＴ１２と、近隣局情報テーブルＴ１３とを参照し、各テーブルに記憶されている全てのスクランブリングコードとは異なるスクランブリングコードを、恒久スクランブリングコードとして決定する。
【００７４】
また、恒久パラメータ決定部１１１は、決定した恒久スクランブリングコードを、パラメータ通知部１１２と、通信制御部１１３とに通知する。
【００７５】
パラメータ通知部１１２は、暫定パラメータ決定部１０９から暫定スクランブリングコードと基地局ＩＤとを通知されると、通知された基地局ＩＤに対応する周辺基地局に暫定スクランブリングコードを通知する。また、パラメータ通知部１１２は、恒久パラメータ決定部１１１から恒久スクランブリングコードを通知されると、先に暫定スクランブリングコードを通知した周辺基地局と、隣接局情報テーブルＴ１１に記憶されている基地局ＩＤに対応する周辺基地局とへ、恒久スクランブリングコードを通知する。
【００７６】
通信制御部１１３は、基地局１００_ｉに備えられる各種通信機能を制御する。通信制御部１１３は、暫定パラメータ決定部１０９から、暫定スクランブリングコードを通知されると、当該暫定スクランブリングコードを自局の無線通信で暫定的に使用するスクランブリングコードとして設定する。また、通信制御部１１３は、暫定パラメータ決定部１０９から、周辺基地局の基地局ＩＤとスクランブリングコードとを通知されると、対応付けて周辺セル情報テーブルＴ２１に記憶する。
【００７７】
また、通信制御部１１３は、恒久パラメータ決定部１１１から、恒久スクランブリングコードを通知されると、当該恒久スクランブリングコードを自局の無線通信で恒久的に使用するスクランブリングコードとして設定する。また、この時、通信制御部１１３は、隣接局情報テーブルＴ１１に記憶されている基地局ＩＤとスクランブリングコードとを周辺セル情報テーブルＴ２１に記憶する。
【００７８】
また、通信制御部１１３は、有線信号通信部１０１において、要求情報を含む有線信号が受信されると、自局に設定されているスクランブリングコードと、自局の基地局ＩＤと、有線信号に含まれるＴＴＬの残値とを含む応答情報を生成すると共に、有線信号通信部１０１を介して、受信した有線信号の送信元の周辺基地局へ、応答情報を含む有線信号を送信する。
【００７９】
また、通信制御部１１３は、無線信号通信部１０２において、移動局６００_１乃至６００_２から送信された受信情報を含む無線信号が受信されると、周辺セル情報テーブルＴ２１を参照し、当該受信情報に含まれるスクランブリングコードが、周辺セル情報テーブルＴ２１に記憶されている基地局ＩＤとスクランブリングコードであるか否かを判定する。そして、通信制御部１１３は、受信情報に含まれるスクランブリングコードが周辺セル情報テーブルＴ２１に記憶されているスクランブリングコードであると判定した場合、受信情報に含まれる全ての基地局ＩＤとスクランブリングコードとを、当該受信情報に含まれる基地局ＩＤに対応する周辺基地局へ送信する。
【００８０】
（ルータの構成）
次に、図６を参照し、本実施形態にかかるルータ２００_１乃至２００_３の構成を詳細に説明する。なお、ルータ２００_１乃至２００_３の構成は、同様であるため、ルータ２００_１乃至２００_３を単にルータ２００_ｎ（ｎは自然数）として、その構成について説明する。
【００８１】
ルータ２００_ｎ（中継器）は、図６に示すように、通信部２０１と、通信制御部２０２とを具備する。通信部２０１は、基地局１００_ｉと、サーバ３００_１と、他のルータと接続し、基地局１００_ｉや、サーバ３００_１から送信される有線信号を中継する。通信制御部２０２は、ルータ２００_ｎに備えられている各種通信機能を制御する。また、通信制御部２０２は、通信部２０１で受信された有線信号にＴＴＬが含まれている場合、その値を“１”だけ減算して所望の送信先に転送する。また、通信制御部２０２は、有線信号に含まれているＴＴＬが“１”であり、減算した結果“０”となる場合、当該有線信号の転送を行わない。
【００８２】
（サーバの構成）
次に、図７を参照し、本実施形態にかかるサーバ３００_１の構成を詳細に説明する。サーバ３００_１は、図７に示すように、通信部３０１と、記憶部３０２と、通信制御部３０３とを具備える。
【００８３】
通信部３０１は、ルータ２００_ｎと接続し、有線信号を送受信すると共に、ルータ２００_ｎを介して、基地局１００_ｉとの間で有線信号を送受信する。記憶部３０２は、配下の基地局１００_ｉに設定されている基地局ＩＤと、スクランブリングコードと対応付けて記憶する。通信制御部３０３は、サーバ３００_１に備えられている各種通信機能を制御すると共に、配下のルータ２００_ｎ及び基地局１００_ｉにおける通信を制御する。
【００８４】
（本実施形態に係る基地局の動作）
次に、図８を参照し、本実施形態に係る基地局１００_ｉの動作について説明する。また、一例として、一の基地局１００_４の動作について説明する。ここで、本実施形態では、基地局１００_４は、新たに運用を開始する新設基地局１００_４とし、基地局１００_１乃至１０３、基地局１００_５乃至１０６は、新設基地局１００_４の周辺に設置されている既設の周辺基地局として説明する。また、本実施形態において、新設基地局１００_４では、スクランブリングコードが設定されておらず、本発明の機能により、新たに設定される場合を例に挙げて説明する。
【００８５】
また、本実施形態では、基地局１００_１乃至１００_６のそれぞれに設定されている基地局ＩＤを“Ｂ１００１”、“Ｂ１００２”、“Ｂ１００３”、“Ｂ１００４”、“Ｂ１００５”、“Ｂ１００６”、として説明する。また、本実施形態に係る移動通信システム１では、基地局１００_１に設定されているスクランブリングコードを、“４００１”とし、基地局１００_２に設定されているスクランブリングコードを、“４００２”とし、基地局１００_３に設定されているスクランブリングコードを、“４００３”とし、基地局１００_５に設定されているスクランブリングコードを、“４００５”とし、基地局１００_６に設定されているスクランブリングコードを、“４００６”として説明する。
【００８６】
ステップＳ１０２において、新設基地局１００_４では、電源が投入される。
【００８７】
ステップＳ１１２において、新設基地局１００_４では、自局に電源が投入されて起動を開始した際、無線信号通信部１０２が、周辺基地局（例えば、基地局１００_１乃至１００_３）から移動局向けに送信される無線信号を受信する。
【００８８】
ステップＳ１１４において、新設基地局１００_４では、周辺局情報取得部１０３が、受信した無線信号から、基地局ＩＤと、スクランブリングコードと、測定した受信レベルとを取得し、周辺基地局１００_１乃至１００_３ごとに、基地局ＩＤと、スクランブリングコードと、受信レベルとを対応付けて、周辺局情報テーブルＴ１２へ記憶する。
【００８９】
ステップＳ１２２において、新設基地局１００_４では、自局に電源が投入されて起動を開始した際、近隣局情報取得部１０４が、有線信号通信部１０１を介して、自局に接続しているルータ２００_１に、要求情報を含む有線信号を送信する。
【００９０】
ここで、図９には、ステップＳ１２２において、新設基地局１００_４から送信される要求情報と所定のＴＴＬとを含む有線信号が、複数のルータを介して周辺基地局へ送信される際のイメージが示されている。
【００９１】
新設基地局１００_４の近隣局情報取得部１０４から送信された有線信号は、例えば、ルータ２００_１に送信される。この時、当該有線信号を受信したルータ２００_１は、当該有線信号に含まれる所定のＴＴＬの値（例えば、“Ａ”）から“１”だけ減算（例えば、“Ａ−１”）し、接続する基地局１００_１乃至１００_２と、ルータ２００_２とに転送（ブロードキャスト転送）する。また、転送された有線信号を受信した、例えば、基地局１００_１は、自局に設定されているスクランブリングコード“４００１”と、自局の基地局ＩＤ“Ｂ１００１”と、有線信号に含まれるＴＴＬの残値“Ａ−１”とを含む応答情報を生成すると共に、当該応答情報を含む有線信号を要求情報の送信元である新設基地局１００_４へ送信する。また、新設基地局１００_４から送信された有線信号は、中継回数が“Ａ”番目のルータ２００_Ａにおいて、ＴＴＬの値が“０”となり、転送が停止される。
【００９２】
ステップＳ１２４において、有線信号通信部１０１は、周辺基地局（例えば、基地局１００_１）から送信された、応答情報を含む有線信号を受信する。
【００９３】
ステップＳ１２６において、近隣局情報取得部１０４は、有線信号通信部１０１によって、周辺基地局（例えば、基地局１００_１）から送信された応答情報を含む有線信号が受信されると、当該有線信号から近隣局情報を取得する。具体的に、近隣局情報取得部１０４は、当該応答情報に含まれるＴＴＬの残値から中継回数（ホップ数）を算出する。ここで、近隣局情報取得部１０４は、元の所定のＴＴＬの値（例えば、“Ａ”）から、ＴＴＬの残値（例えば、“Ａ−１”）を減算することで、中継回数（例えば、“１”）を算出する。また、近隣局情報取得部１０４は、算出した中継回数と、当該応答情報に含まれる基地局ＩＤと、スクランブリングコードとを対応付けて近隣局情報テーブルＴ１３に記憶する。
【００９４】
ステップＳ１３０において、新設基地局１００_４では、順位設定部１０８が、周辺局情報テーブルＴ１２と、近隣局情報テーブルＴ１３とを参照し、周辺局情報取得部１０３によって取得された周辺局情報と、近隣局情報取得部１０４によって取得された近隣局情報とに「順位」を対応付ける。
【００９５】
具体的に、順位設定部１０８は、まず、周辺局情報テーブルＴ１２に記憶されているスクランブリングコードに「順位」を対応付けし、次に近隣局情報テーブルＴ１３に記憶されているスクランブリングコードに「順位」を対応付ける。
【００９６】
また、順位設定部１０８は、対応付けた「順位」を、周辺局情報テーブルＴ１２と、近隣局情報テーブルＴ１３とに記憶すると共に、記憶が完了したことを暫定パラメータ決定部１０９に通知する。
【００９７】
ステップＳ１３２において、暫定パラメータ決定部１０９は、暫定スクランブリングコードを決定する。具体的に、周辺局情報テーブルＴ１２と、近隣局情報テーブルＴ１３とにおいて、図４（ｂ）乃至（ｃ）示される情報が記憶されている場合を例に挙げて説明する。暫定パラメータ決定部１０９は、例えば図４（ｂ）乃至（ｃ）に示す周辺局情報テーブルＴ１２と、近隣局情報テーブルＴ１３とを参照し、順位設定部１０８によって対応付けられた「順位」に基づいて、所定の順位（例えば“４”）よりも高いスクランブリングコード（例えば、“４００１”と“４００２”と“４００３”）とは異なるスクランブリングコード（例えば、“４００４”や“４００５”や“４９９９”等）を、暫定スクランブリングコードとして決定する。なお、本実施形態では、暫定パラメータ決定部１０９は、暫定スクランブリングコードとして、“４９９９”を決定することとする。
【００９８】
また、暫定パラメータ決定部１０９は、決定した暫定スクランブリングコードをパイロット信号生成部１１０に通知する。また、暫定パラメータ決定部１０９は、決定した暫定スクランブリングコード“４９９９”と、所定の順位“４”よりも高い「順位」に対応付けされている基地局ＩＤ“Ｂ１００１”乃至“Ｂ１００３”とを、パラメータ通知部１１２に通知する。また、暫定パラメータ決定部１０９は、所定の順位“４”よりも高い「順位」に対応付けされている基地局ＩＤ“Ｂ１００１”乃至“Ｂ１００３”と、当該基地局ＩＤに対応するスクランブリングコード“４００１”乃至“４００３”とを通信制御部１１３に通知する。なお、この通知を受けた通信制御部１１３は、基地局ＩＤとスクランブリングコードとを対応付けて、周辺セル情報テーブルＴ２１に記憶する。
【００９９】
ステップＳ１３４において、パラメータ通知部１１２は、暫定パラメータ決定部１０９から通知された基地局ＩＤ“Ｂ１００１”と“Ｂ１００２”と“Ｂ１００３”に対応する基地局１００_１乃至１００_３に、暫定スクランブリングコード“４９９９”を通知する。
【０１００】
ステップＳ１３６において、パイロット信号生成部１１０は、通知された暫定スクランブリングコードを用いて自局の基地局ＩＤを含むパイロット信号を生成する。また、パイロット信号生成部１１０は、無線信号通信部１０２を介して、生成したパイロット信号を自局の無線範囲内に存在する移動局（例えば、移動局６００_１）に送信する。
【０１０１】
ステップＳ１３８において、隣接局情報取得部１０５は、パイロット信号生成部１１０からパイロット信号の送信が開始されると、タイマの起動を開始する。
【０１０２】
ステップＳ１４０において、隣接局情報取得部１０５は、パイロット信号生成部１１０によって生成されたパイロット信号を受信した移動局（例えば、移動局６００_１）の通信先の周辺基地局（例えば、基地局１００_１）から送信された隣接局情報（基地局ＩＤと、スクランブリングコード）を取得して隣接局情報テーブルＴ１１に記憶する。
【０１０３】
ここで、図１０には、ステップＳ１３６乃至Ｓ１４０において、新設基地局１００_４が、隣接局情報を取得する際のイメージが示されている。なお、本実施形態では、図１０に示すように、基地局１００_１乃至１００_６は、それぞれセル（無線範囲）Ｃ１００_１乃至Ｃ１００_６を形成する場合を例に挙げて説明する。また、同図において、移動局６００_１は、基地局１００_１と無線通信を実行している。
【０１０４】
図１０に示すように、新設基地局１００_４は、暫定スクランブリングコード“４９９９”を用いて、基地局ＩＤ“Ｂ１００４”を含むパイロット信号を移動局６００_１に送信する。また、移動局６００_１は、例えば、基地局１００_４から送信されるパイロット信号と、基地局１００_５から送信されるパイロット信号とを受信すると、無線通信を実行している基地局１００_１に、基地局１００_４と基地局１００_５から送信されるパイロット信号を受信したことを通知する。この時、移動局６００_１は、基地局１００_４と基地局１００_５との基地局ＩＤ及びスクランブリングコードを含む受信情報を基地局１００_１へ送信する。
【０１０５】
また、当該受信情報を受信した基地局１００_１では、通信制御部１１３が、周辺セル情報テーブルＴ２１を参照し、当該受信情報に含まれるスクランブリングコードの中に、周辺セル情報テーブルＴ２１に記憶されているスクランブリングコードがあるか否かを判定する。そして、通信制御部１１３は、周辺セル情報テーブルＴ２１に記憶されていると判定すると、受信情報に含まれる基地局ＩＤ“Ｂ１００４”及び“Ｂ１００５”と、スクランブリングコード“４９９９”及び“４００５”とを、当該受信情報に含まれる基地局ＩＤ“Ｂ１００４”と“Ｂ１００５”とに対応する基地局１００_４と基地局１００_５とへ送信する。
【０１０６】
これを受信した、例えば、新設基地局１００_４では、隣接局情報取得部１０５が、周辺基地局の基地局ＩＤ“Ｂ１００５”と、スクランブリングコード“４００５”とを隣接局情報として取得すると共に、これらを対応付けて隣接局情報テーブルＴ１１に記憶する。また、例えば、既設の基地局１００_５では、通信制御部１１３が、周辺基地局の基地局ＩＤと、スクランブリングコードとを対応付けて周辺セル情報テーブルＴ２１に追加して記憶する。このようにして、新設基地局１００_４の基地局ＩＤと暫定スクランブリングコードとは、基地局１００_５の周辺セル情報テーブルＴ２１にも追加される。
【０１０７】
さらに、図１１に示すように、新設基地局１００_４は、基地局１００_５と接続する移動局６００_２からの通知によって、新たな周辺基地局（例えば、基地局１００_６）の基地局ＩＤとスクランブリングコードとを取得する。具体的に、移動局６００_２は、基地局１００_４から送信されるパイロット信号と、基地局１００_６から送信されるパイロット信号とを受信すると、通信先の基地局１００_５に、基地局１００_４と基地局１００_６から受信した基地局ＩＤ及びスクランブリングコードを含む受信情報を送信する。
【０１０８】
また、当該受信情報を受信した基地局１００_５は、新設基地局１００_４と基地局１００_６とに、受信情報に含まれる基地局ＩＤとスクランブリングコードとを送信する。このようにして、基地局１００_４の暫定スクランブリングコードは、新たな周辺基地局（例えば、基地局１００_５乃至１００_６）に連鎖的に記憶される。また、基地局１００_４は、新たな周辺基地局の基地局ＩＤとスクランブリングコードを隣接局情報として取得し、隣接局情報テーブルＴ１１に記憶する。
【０１０９】
ステップＳ１４２において、隣接局情報取得部１０５は、起動させたタイマが、所定の期間を経過したか否かを判定する。また、隣接局情報取得部１０５は、所定の期間が停止していないと判定（Ｎｏと判定）した場合、ステップＳ１４０乃至Ｓ１４２の動作を繰り返し実行する。
【０１１０】
ステップＳ１４４において、隣接局情報取得部１０５は、起動させたタイマが所定の期間が停止したと判定（Ｙｅｓと判定）した場合、隣接局情報の取得を停止すると共に、恒久パラメータ決定部１１１に、所定の期間が経過したことを通知する。また、この通知を受けた恒久パラメータ決定部１１１は、パイロット信号生成部１１０に対して、パイロット信号の生成及び送信を停止させる。
【０１１１】
ステップＳ１４６において、隣接局情報取得部１０５からの通知を受けた恒久パラメータ決定部１１１は、周辺局情報取得部１０３によって取得されたスクランブリングコードと、近隣局情報取得部１０４によって取得されたスクランブリングコードと、隣接局情報取得部１０５によって取得されたスクランブリングコードとに基づいて、暫定スクランブリングコードに替えて自局で用いる無線通信用の恒久スクランブリングコードを決定する。具体的に、恒久パラメータ決定部１１１は、各テーブルに記憶されている全てのスクランブリングコードとは異なるスクランブリングコードを、恒久スクランブリングコードとして決定する。
【０１１２】
また、恒久パラメータ決定部１１１は、決定した恒久スクランブリングコード（例えば、“４０１０”）をパラメータ通知部１１２に通知する。
【０１１３】
ステップＳ１４８において、この通知を受けたパラメータ通知部１１２は、ステップＳ１３４において暫定スクランブリングコードを通知した周辺基地局１００_１乃至１００_３へ、恒久スクランブリングコード“４０１０”を記憶するように通知する。また、パラメータ通知部１１２は、隣接局情報テーブルＴ１１を参照し、記憶されている基地局ＩＤに対応する基地局１００_５乃至１００_６に対しても、恒久スクランブリングコード“４０１０”を通知する。また、この通知を受けた周辺基地局１００_１乃至１００_６は、周辺セル情報テーブルＴ２１に記憶している暫定スクランブリングコード“４９９９”を削除し、通知された恒久スクランブリングコード“４０１０”を記憶する。
【０１１４】
なお、パラメータ通知部１１２が、恒久スクランブリングコードを通知する際、基地局ＩＤに対応する周辺基地局のアドレスを特定する方法としては、サーバ３００_１において、基地局ＩＤに対応するアドレスを記憶するデータベースを具備し、パラメータ通知部１１２が、サーバ３００_１に基地局ＩＤを通知してアドレスを問い合わせることで、基地局ＩＤに対応する周辺基地局のアドレスを取得してもよい。また、全ての基地局１００_ｉが、基地局ＩＤに対応するアドレスを記憶するデータベースを具備し、パラメータ通知部１１２は、当該データベースを参照して、基地局ＩＤに対応する周辺基地局のアドレスを特定するように構成されていてもよい。
【０１１５】
ステップＳ１５０において、通信制御部１１３は、恒久パラメータ決定部１１１から通知された恒久スクランブリングコード“４０１０”を用いて、下り方向の無線信号の送信を行う。このようにして、新設基地局１００_４では、取得した隣接局情報と、周辺局情報と、近隣局情報とに基づいて、自局で恒久的に使用する恒久スクランブリングコードを設定して、下り方向の無線信号の送信を開始（運用開始）する。なお、上述した新設基地局１００_４では、ステップＳ１１２乃至Ｓ１１４と、ステップＳ１２２乃至Ｓ１２６とが、それぞれ独立して実行され、又、いずれが先に実行されても良い。
【０１１６】
（順位を決定する際の動作）
次に、上述したステップＳ１３０の動作について、具体的に説明する。図１２には、上述したステップＳ１３０において、順位設定部１０８が、周辺局情報と、近隣局情報とに対して、「順位」を対応付ける際のフローチャートが示されている。なお、ここでは、周辺局情報テーブルＴ１２と、近隣局情報テーブルＴ１３とにおいて、図４（ｂ）乃至（ｃ）に示されるように、基地局ＩＤ、スクランブリングコード、受信レベル、中継回数が記憶されていることとする。
【０１１７】
ステップＳ１３０２において、まず、順位設定部１０８は、周辺局情報テーブルＴ１２に記憶されているスクランブリングコードに「順位」を対応付ける。具体的に、順位設定部１０８は、周辺局情報テーブルＴ１２を参照し、図４（ｂ）に示すように、受信レベルの高いスクランブリングコードほど「順位」が高くなるように、スクランブリングコード“４００１”に「順位」“１”を対応付けて、“４００２”に「順位」“２”を対応付けて、“４００３”に「順位」“３”を対応付ける。
【０１１８】
ステップＳ１３０４において、順位設定部１０８は、近隣局情報テーブルＴ１３を参照し、「順位」を対応付けしていないスクランブリングコードのみに「順位」を対応付ける。具体的に、順位設定部１０８は、近隣局情報テーブルＴ１３を参照し、図４（ｃ）に示すように、スクランブリングコード“４００１”乃至“４００４”において、既に「順位」を対応付けたスクランブリングコード“４００１”乃至“４００３”には、「順位」をつけず、スクランブリングコード“４００４”に「順位」“４”を対応付ける。
【０１１９】
また、順位設定部１０８は、近隣局情報テーブルＴ１３において、「順位」を対応付けしていないスクランブリングコードが複数記憶されている場合、それぞれのスクランブリングコードと対応付けて記憶されている中継回数を比較し、中継回数が少ないスクランブリングコードほど「順位」を高く対応付ける。
【０１２０】
（本実施形態に係る基地局の作用・効果）
本実施形態に係る基地局１００_ｉによれば、周辺局情報取得部１０３によって取得されたスクランブリングコードと、近隣局情報取得部１０４によって取得されたスクランブリングコードとに基づいて、無線通信用の暫定スクランブリングコードを決定する。また、基地局１００_ｉは、決定した暫定スクランブリングコードを用いて生成したパイロット信号を移動局６００_１乃至２へ送信し、当該移動局６００_１乃至２に無線信号を送信する他の周辺基地局（例えば、基地局１００_５乃至１００_６）に設定されているスクランブリングコードを隣接局情報取得部１０５によって取得する。そして、基地局１００_ｉは、取得した各スクランブリングコードとは異なるように、自局に設定する恒久スクランブリングコードを決定する。
【０１２１】
このように、かかる基地局１００_ｉによれば、スクランブリングコード等の無線通信用のパラメータを自局に設定する際、従来技術のように、予め暫定スクランブリングコードを確保しなくとも、周辺基地局で用いられているスクランブリングコードとは異なる暫定スクランブリングコードを自動的に決定することができる。よって、基地局１００_ｉによれば、従来技術のように、スクランブリングコード等の使用可能な数が限定されている無線通信用のパラメータの数を限定することなく、自局に設定する無線通信用のパラメータを自動的に決定することができる。
【０１２２】
また、本実施形態に係る基地局１００_ｉによれば、例えば、無線範囲の重複する複数の新設基地局において、恒久スクランブリングコードを設定する場合であっても、電源を投入する際のタイミングさえ異なれば、それぞれの新設基地局において、異なる暫定スクランブリングコードを決定して、同一の期間内に、隣接局情報を取得し、周辺局情報と近接局情報と隣接局情報とに基づいて、恒久スクランブリングコードを決定することができる。
【０１２３】
また、本実施形態に係る基地局１００_ｉによれば、周辺局情報取得部１０３によって取得されたスクランブリングコードと、近隣局情報取得部１０４によって取得されたスクランブリングコードとにおいて、それぞれに「順位」を設定する際、周辺局情報取得部１０３によって取得されたスクランブリングコードの順位を優先して高く「順位」を対応付ける。つまり、暫定スクランブリングコードを、有線回線の経路上で検出した周辺基地局に設定されているスクランブリングコードよりも、実際に自局に到達した無線回線上の周辺基地局に設定されているスクランブリングコードの「順位」を優先して高く設定するので、自局との無線範囲の重複度合いが大きい周辺基地局で設定されているスクランブリングコードと重複することを抑制することができる。
【０１２４】
また、基地局１００_ｉは、周辺局情報取得部１０３によって取得されたスクランブリングコードと、近隣局情報取得部１０４によって取得されたスクランブリングコードとにおいて、所定の順位よりも高いスクランブリングコードとは異なるスクランブリングコードを、暫定スクランブリングコードとして決定するので、使用できるスクランブリングコード数が限られ、暫定スクランブリングコードが取得したスクランブリングコードと重複する必要性が生じる場合であっても、例えば、対応付けられた順位の高いスクランブリングコード、つまり無線範囲の重複度合いの大きいことが推測される周辺基地局で設定されているスクランブリングコードとは異なるスクランブリングコードを、自局に設定する暫定スクランブリングコードとして決定することができる。
【０１２５】
また、本実施形態に係る基地局１００_ｉによれば、周辺局情報取得部１０３によって複数のスクランブリングコードが取得される場合であっても、共に取得した受信レベルの大きさに基づいて、それぞれのスクランブリングコードに「順位」を対応付けるので、自局と周辺基地局との無線範囲の重複度合いに応じ、複数のスクランブリングコードのそれぞれに、より正確な順位を対応付けることができる。
【０１２６】
また、本実施形態に係る基地局１００_ｉによれば、近隣局情報取得部１０４によって複数のスクランブリングコードが取得される場合であっても、自局と周辺基地局との有線回線の経路上におけるルータ２００_ｎの中継回数（ＴＴＬ）に基づいて、自局と周辺基地局との無線範囲の重複度合いを推定し、複数のスクランブリングコードのそれぞれに、より正確な順位を対応付けることができる。
【０１２７】
（その他の実施形態）
上述したように本発明の一例を説明したが、具体例を例示したに過ぎず、特に本発明を限定するものではなく、各部の具体的構成等は、適宜設計変更可能である。例えば、基地局１００_ｉに備えられていた周辺局情報取得部１０３と、近隣局情報取得部１０４と、隣接局情報取得部１０５と、順位設定部１０８と、暫定パラメータ決定部１０９との各種機能は、サーバ３００_１に備えられていてもよい。
【０１２８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。また、各実施形態及び各変更例の作用及び効果は、本発明から生じる最も好適な作用及び効果を列挙したに過ぎず、本発明による作用及び効果は、各実施形態に記載されたものに限定されるものではない。
【図面の簡単な説明】
【０１２９】
【図１】本発明の実施形態に係る移動通信システムの構成を示す概略図である。
【図２】本発明の実施形態に係る基地局の構成を示すブロック図である。
【図３】（ａ）本発明の実施形態に係る要求信号を含む有線信号のフォーマットを示す図である。（ｂ）本発明の実施形態に係る応答信号を含む有線信号のフォーマットを示す図である。
【図４】（ａ）本発明の実施形態に係る隣接局情報テーブルを示す図である。（ｂ）本発明の実施形態に係る周辺局情報テーブルを示す図である。（ｃ）本発明の実施形態に係る近接局情報テーブルを示す図である。
【図５】本発明の実施形態に係る周辺セル情報テーブルを示す図である。
【図６】本発明の実施形態に係るルータの構成を示すブロック図である。
【図７】本発明の実施形態に係るサーバの構成を示すブロック図である。
【図８】本発明の実施形態に係る基地局の動作を示すフローチャートである。
【図９】本発明の実施形態に係る基地局から送信された要求情報を含む有線信号が、複数のルータを介して周辺基地局に送信されるイメージを示す図である。
【図１０】本発明の実施形態に係る移動通信システムにおいて、新設基地局が周辺基地局のスクランブリングコードを取得する際のイメージ図である。
【図１１】本発明の実施形態に係る移動通信システムにおいて、新設基地局が周辺基地局のスクランブリングコードを取得する際のイメージ図である。
【図１２】本発明の実施形態に係る基地局の動作を示すフローチャートである。
【符号の説明】
【０１３０】
１…移動通信システム、１００_１乃至１００_６…基地局、１０１…有線信号通信部、１０２…無線信号通信部、１０３…周辺局情報取得部、１０４…近隣局情報取得部、１０５…隣接局情報取得部、１０７…記憶部、１０８…順位設定部、１０９…暫定パラメータ決定部、１１０…パイロット信号生成部、１１１…恒久パラメータ決定部、１１２…パラメータ通知部、１１３…通信制御部、Ｃ１００_１乃至Ｃ１００_６…セル、Ｓ１０２乃至Ｓ１５０…ステップ、Ｓ１３０２乃至Ｓ１３０４…ステップ、Ｔ１１…隣接局情報テーブル、Ｔ１２…周辺局情報テーブル、Ｔ１３…近隣局情報テーブル、Ｔ２１…周辺セル情報テーブル、２００_１乃至２００_３…ルータ、２０１…通信部、２０２…通信制御部、３００_１…サーバ、３０１…通信部、３０２…記憶部、３０３…通信制御部、６００_１乃至６００_２…移動局、
【図１】
2008124576.tif 000003
【図２】
2008124576.tif 000004
【図３】
2008124576.tif 000005
【図４】
2008124576.tif 000006
【図５】
2008124576.tif 000007
【図６】
2008124576.tif 000008
【図７】
2008124576.tif 000009
【図８】
2008124576.tif 000010
【図９】
2008124576.tif 000011
【図１０】
2008124576.tif 000012
【図１１】
2008124576.tif 000013
【図１２】
2008124576.tif 000014